(57)【要約】      （修正有）【課題】  コンビニエンスストアーで定番となっている、カップ麺への給湯サービスにおいて、熱湯の入ったカップ麺容器を持ち帰りの際、手に熱くなく、安定して湯がこぼれない、安全で簡単の美しく安価な専用の手提げを提供する。【解決手段】  熱湯を入れたカップ麺容器の持ち帰りにおいて、バケツの手提げに相当するアーチ状アーム１とその両先端に、かえし状突起３，３’を具備した、かぎ状支持部２，２’を合成樹脂製で一体成型し、これをカップ麺容器上部の縁に挟み込み、固定して、ぶらさげて安全に運べる手提げを特徴とする。【選択図】  図３
0003119850.tif 000002
【実用新案登録請求の範囲】
【請求項１】
安定かつ安全に、お湯を入れたカップ麺を運ぶための、アーチ状アームと、かぎ形支持部をそなえた手提げであって、そのアーム両端のかぎ状支持部をカップ麺容器のふちにそって引っ掛け、水を入れたバケツのように、お湯を入れたカップ麺を手にぶらさげて、持ち帰りの道具とした事を特徴とする、弾性を有する合成樹脂製の一体成型したお湯を入れたカップ麺用手提げ。
【請求項２】
前記アームが、四角形の底部の一辺を削除した三辺で構成される形状を特徴とする、請求項１記載のお湯を入れたカップ麺用手提げ。
【請求項３】
前記湾曲した支持部を両端に付けたことを特徴とする、請求項１記載のお湯を入れたカップ麺用手提げ。
【請求項４】
前記開口部先端に、複数のかえし状突起を備えた支持部を両端に付けたことを特徴とする、請求項１記載のお湯を入れたカップ麺用手提げ。
【請求項５】
前記アーム部に、広告宣伝用の表示部を一体成型したことを特徴とする、請求項１記載のお湯を入れたカップ麺用手提げ。
【考案の詳細な説明】
【技術分野】
【０００１】本考案は、コンビニエンスストア等で定番として定着しているカップ麺へのお湯を入れるサービスに関し、お湯を入れたたカップ麺を持ち帰るさいの、容器の手に熱くない、お湯のこぼれない手提げに関するものである。
【背景技術】
【０００２】全国５万店以上あるコンビニエンスストアでは、カップ麺を購入した後「お湯を入れて持ち帰りたい」という客の習慣化した要望に対して、湯沸しポットを用意してのお湯を入れるサービスは定着しており、店の湯沸ポットの設置はほぼ全店に及び、中には複数台の設置店も数多くあり、新規の店には、箸・フォーク・スプーン・ナピキン等を用意した専用のコーナーを設けて集客の努力をしている。しかし持ち帰り用の道具等の用意は無い。【０００３】従来、客のお湯を入れたカップ麺の持ち帰り方法は種々ある。割り離さない前の割り箸を、剥がした給湯口に挟んで、湯のこぼれるのを防ぐ法。用意したレジ袋に予めお皿を敷き、その上にお湯を入れたカップ麺を置いてぶら提げて持ち帰る法。味は濃すぎて美味しくはなくなるが、最初からお湯を規定量より少な目に入れ溢れこぼれ落ちるのを防ぐ法。等々客それぞれに工夫している。【０００４】いずれの方法もその場の間に合わせであり、持ち帰りの時にお湯を入れたカップ麺を直接手に持った時の手に熱くなく、ヤケドや湯こぼれ防止のための決め手にはなっていない。且つ実際にヤケドをした時には客本人の不注意、リスクで済ましているのが現状であり、専用の持ち帰り用の道具の提供が望まれている。【０００５】一方、カップ麺メーカー、協会団体側としての立場は、その危険性に気付きながらも特別の対応はせず、カップ麺容器上に「ヤケド注意」の表示のみで済ませている。【０００６】カップ麺の容器は、ＪＩＳ，ＪＡＳ等の特別の規格は無く、各カップ麺メーカー独自の味・具・企画によって、口径・高さ・形状に多くの種類がある。そしてコンビニエンスストアーにおいてはその商品棚のスペースが限られており、商品構成上カップ麺は２０種類程度の販売に限られている。【０００７】従来の容器には、数々の種類の取っ手をカップ麺容器と一体形成のかたちで取り付けた即席食品用容器がある。（例えば、特許文献１参照）【０００８】また従来の吊り手には、カップ麺容器と一体貼り付けとしたもので、メーカーが製造の段階でその吊り手を折り畳み、カップ麺容器と同一包装としたものがある。（例えば、特許文献２参照）【０００９】また従来の断熱把持具には、コップに別製造の持ち手用のハンドル付き把持具を装着して、容器内容物の熱の遮断を図ったものがある。（例えば、特許文献３参照）そして同特許文献３は文中、登録実用新案３０４４０７５号および実開昭５２−１０５５８５号についても考察を加えている。前者はプラスチック一体成型の使い捨てカップ用把手であり、また後者は一体形成のハンドル付きコップである。【００１０】以下、従来の手提げについて説明する。
〔０００７〕記載の従来の即席食品用容器の取っ手は、製造発送のまえ段階で把持するためのものを、容器の上面または側面に設けた構成であり、例えば容器上面の縁を大きくして、吊り手を設けて両手で持つもの。またはその縁に対の帯状の吊り手をつけ、さげたり、畳めるようにしたもの。また折りたたみ吊り手をつけたフタ状のものを容器上面にかぶせる構造のもの、また側面に折りたたみする対のつかみ手を設けるものであり、その取っ手部を持てば容器にお湯を入れて運ぶことを可能にする、という構成になっている。
〔０００８〕記載の断熱性吊手付き容器は、製造発送のまえ段階で、容器側面に折りたためる吊り手を設ける構造であり、吊り手の巾・形を数々変え、かつ断熱の素材にも留意しており、その吊り手部を持てば、容器にお湯を入れて運ぶことを可能にする、という構成になっている。
〔０００９〕記載の従来のカップの断熱把持具は、厚手西洋紙で円弧短冊状に作ったシートの、ある長さを持った片端または両端をつまんで張り合わせ、たためるようにしたものであり、使うときに広げて、カップ体の下部の狭い部分からはめこみ装着し、片手または両手の持ち手とする。その取っ手部を持てば、容器にお湯を入れて運ぶことを可能にする、という構成になっている。【００１１】
【特許文献１】実開昭６３−１４９８３１公報
【特許文献２】実開平０５−５４２２９公報
【特許文献３】特開２０００−１６６７３８公報
【考案の開示】
【考案が解決しようとする課題】
【００１２】以上に述べた従来の即席食品用容器の取っ手、吊り手、断熱把持具は、いずれもカップまたはコップ体の握り手を模した一体形成のもので、その製造のコスト高、加えて包装梱包の段階でのコストの上昇、煩雑さは無視出来ない。そして消費者がカップ麺を食すとき必ずしも全ての消費者がその手提げを必要とはせず、過剰の包装、サービスの具といえる。また〔０００９〕記載の別製造の片手または両手持ち手においては、その構造上単一の把持具では容器の大きさ、形状において筒型のもの、なべ型のものに同時に対応出来ず、数種類の把持具の作成が必要となる。そして両手持ち手がたのものは、両方の手がふさがってしまい、他の買い物があるときなど、容器を持っての移動に非常な不都合が生じる。【００１３】本考案は、このような従来の構成が有していた問題を解決しようとするものであり、お湯を入れたカップ麺を、手に熱くなく、かつ安定した状態で持ち帰るための手提げの提供を目的としたものである。
【課題を解決するための手段】
【００１４】安定かつ安全に、お湯を入れたカップ麺を運ぶための、かぎ状支持部２をそなえたアーチ状手提げアーム１であって、そのアーム両端のかぎ状支持部２２′をカップ麺容器縁６に挟み込み、水を入れたバケツのように、お湯を入れたカップ麺容器５を手にぶらさげて、持ち帰りの道具とした事を特徴とする。【００１５】その支持部の形状は、幅およびある長さを持った直線の中空の筒状で、その筒の一部をある幅を持って横に切り開き、その開口の下部全体が幅をもったかぎ状になっており、そのかぎ状支持部２の先端中央には上に向いた、とがった一つの突起があり、その突起は内側に向いたかえし状突起３の状態になっている。そしてアームと支持部は弾性を有する合成樹脂製で一体成型とし、お湯を入れたカップ麺用手提げを形成する。使用者は両かぎ状支持部２２を両指先でつまみ手提げアームを広げてカップ麺容器縁６に挟み込む。【００１６】カップ麺製造段階で、カップ麺容器縁部、またはその熱処理シールドされた蓋部に、あらかじめその円周上の対角線上に当たる２点に、しるしを印字しておけば、かぎ形支持部をより安定最良の位置にはめ込める。
【考案の効果】
【００１７】本考案に係るアーチ状の手提げアーム１は、弾力に富みそのバネの効果作用と、両かぎ状支持部２２′の先端に付けたかえし状突起３３′が、発泡スチロールまたは紙製で出来たカップ麺容器縁６に食い込み固定される。なおかつその突起は、支持部を縁にはめ込むときと逆の方向に内側に向けてあるかえし状の突起なので、一度はめ込めば容易にははずれない。一方お湯を入れたカップ麺の総重量はおおよそ２００ｇ〜５００ｇであり、その重心は下部に向かい、両かぎ状支持部２２′を支点にして、アーチ状手提げアーム１は内側に挟み込むように縮まろうとしてその保持力は増大し、手提げとお湯を入れたカップ麺容器５とがしっかりと固定されて重心が下に落ち着き、水を入れたバケツのように、お湯を入れたカップ麺を手にぶらさげても安定して、安全にカップ麺容器を持ち帰ることが出来る。また弾力に富んだアームは、カップ麺容器の大きさに合わせ、広げたり縮めたり自由になり、大・中・小各容器の大きさにおいて、ほぼ８０％以上に取り付け対応が出来る。そして手提げアーム１の持ち手部分はお湯を入れたカップ麺容器５と相当距離はなれており、そのお湯の熱は伝わらず手に熱くない。また本考案の一体成型された手提げの形状は非常にシンプルで、手に持って、さげた姿も美麗であり、婦女子が使っても違和感がない。そしてサイズは全長２０ｃｍ以下におさえられ、合成樹脂成型上大変有利であり、かつ安価で大量の生産供給（例えば２０〜３０万個／日産）も可能である。また本手提げは、カップ麺本体とは別個に製造するので、店が客にサービスの道具として置き、提供したとき、必要な人が必要なときに必要なだけ使うことになり、資材の無駄がない。〔請求項１〕
【考案を実施するための最良の形態】
【００１８】前記手提げアームの形状において、四角形の底部の一辺を削除した三辺で構成される形状、例えば角々のある台形または矩形のものも考えられる〔図８〕これは、口径の広い大きなカップ麺容器に対応して、持ち手の指に当たる部分に良くなじむ。〔請求項２〕【００１９】〔００１７〕記載の、両かぎ状支持部の形状において、湾曲状に丸みを付けたものも考えられる。〔図９〕カップ麺容器が極端に小さかったり大きかったりしたときには、丸みの付いたかぎ状支持部がカップ麺の縁にフィットして、手提げとカップ麺の支持安定に大いに役にたつ。〔請求項３〕【００２０】〔００１７〕記載の、両かぎ状支持部先端に付けた突起において、複数個の突起をつけたものも考えられる〔図１０〕また特大のカップ麺においては、お湯を入れたときに総重量７００ｇ〜８００ｇを超えるものもある、そのとき複数個の突起は、手提げとカップ麺の支持安定に大いに役にたつ。〔請求項４〕【００２１】〔００１７〕記載のアーチ状アームにおいて、アームの一部分に張り出したヘンをもうけ一体成型する。そしてその表示部４を広告宣伝用に供す。〔請求項５〕
【産業上の利用可能性】
【００２２】かつて大手麺メーカーが、カップ麺の新商品カップヌードル売り出しキャンペーンに際して、従来の麺とハシという常識をやぶって、小さなプラスチック製フォークをカップ麺と一緒に付けたことがある。このこともあってか同商品の知名度は高まり一気にトップブランドに躍り出た。本考案によるお湯を入れたカップ麺用手提げは、カップ麺とセットで使うことによって、最大の市場であるコンブニエンスストアーの優良顧客に対しサービスにおいて、優待することになり販売促進の助けの道具となり得る。【００２３】本考案によるお湯を入れたカップ麺用手提げを、麺メーカー、コンビニエンスストーアー業界が採用することは、消費者が食品に対する高度の安全性を望むなかで、最終的に安心安全を提供することになり、消費者の支持と信頼を獲得することの道具になり得る。本考案は消費者が必要に応じて使う無駄のないサービスのために、後付けの、お湯を入れた手提げの提供となりえる。
【図面の簡単な説明】
【００２４】
【図１】本考案の一実施形態に係るカップ麺手提げとカップ麺容器の斜面図
【図２】本考案の一実施形態に係るカップ麺手提げの斜面図
【図３】本考案の正面図
【図４】同平面図
【図５】同側面図
【図６】本考案の一実施形態に係るカップ麺手提げとカップ麺容器の正面図
【図７】同側面図
【図８】本考案の変形のアームに係る斜面図
【図９】本考案の湾曲の形のかぎ状支持部を付けたアームに係る斜面図
【図１０】本考案の複数の突起を付けた支持部とアームに係る斜面図
【符号の説明】
【００２５】  １  手提げアーム
２  かぎ状支持部
３  かえし状突起
４  広告表示部
５  カップ麺容器
６  カップ麺容器縁
【図１】
0003119850.tif 000003
【図２】
0003119850.tif 000004
【図３】
0003119850.tif 000005
【図４】
0003119850.tif 000006
【図５】
0003119850.tif 000007
【図６】
0003119850.tif 000008
【図７】
0003119850.tif 000009
【図８】
0003119850.tif 000010
【図９】
0003119850.tif 000011
【図１０】
0003119850.tif 000012